【事件の表示】
　特願２００２−５５３０５０「サンドイッチ状パネル部材」拒絶査定不服審判事件〔平成１４年　７月　４日国際公開、ＷＯ０２／５２１９２、平成１６年　８月２６日国内公表、特表２００４−５２６１７８〕について、次のとおり審決する。
【結　論】
　本件審判の請求は、成り立たない。
【理　由】
１　手続の経緯
　本願は、２００１年（平成１３年）１２月２０日（パリ条約による優先権主張　２０００年１２月２２日、２００１年４月６日、ドイツ）を国際出願日とする特許出願であって、平成１９年９月１４日付けで手続補正がなされたところ、平成２０年２月２９日付けで拒絶査定がなされ、これに対し、同年５月３０日に拒絶査定不服審判の請求がなされるとともに同年６月２７日付けで手続補正がなされたものである。
　
２　本願発明
　平成２０年６月２７日付け手続補正により補正された明細書及び図面の記載からみて、本願の特許請求の範囲の請求項１に係る発明は次のものであると認める。
　
「　高度に透明な、少なくとも１枚の第１のパネル（１０２）と、高度に透明な第２のパネル（１０３）とを含むサンドイッチ状パネル部材（１００）であって、さらに該パネル間の空隙内に、または該２枚のパネルの少なくとも一方上に設けられた太陽電池素子（１０８）を含み、さらに、縁部領域にパネル（１０２、１０３）のためのフレーム構造（１０４）を有するサンドイッチ状パネル部材（１００）において、多数のＬＥＤまたはＳＭＤが照明手段（１０６）として該フレーム構造の前面部分に配置され、前記照明手段は該パネル（１０２，１０３）のうち少なくとも１枚に前面部分において照明光を照射し、該光は少なくとも部分的に放射の方向にほぼ垂直に偏向し、少なくとも１枚のパネルの表面一面に投射され、該パネルは透明な構成を有し、それによって該パネルは光拡散効果を持ち、この目的のために少なくともひとつの面が印刷、サンドブラスト、エッチング、コーティング、彫刻または貼付されるか、またはパネルの内部が欠陥構造を有し、さらに太陽電池素子（１０８）が日光に対して半透過性であることを特徴とするサンドイッチ状パネル部材。」（以下「本願発明」という。）
　
３　引用刊行物記載の発明
（１）引用刊行物１及び引用発明１
　原査定の拒絶の理由に引用された、本願の優先日前に頒布された刊行物である特開２０００−８０８６３号公報（以下「引用刊行物１」という。）には、図とともに以下の事項が記載されている。
　
　ア　「【特許請求の範囲】
【請求項１】  それぞれに板ガラスが装着された状態で互いに対向した一対の窓枠と、各窓枠の周縁部間に架橋された連結部材とから窓本体が構成され、上記窓枠間に光源が配設されていることを特徴とするガラス窓構造。
【請求項２】  請求項１記載のガラス窓構造において、上記窓本体は、所定の被装着枠体に嵌め殺しされるものであることを特徴とするガラス窓構造。
【請求項３】  請求項１記載のガラス窓構造において、上記窓本体は、所定の被装着枠体に開閉可能に建て付けられるものであることを特徴とするガラス窓構造。」
　
　イ　「【０００１】
【発明の属する技術分野】本発明は、室内の照明用や、陳列された展示物の証明用として利用することができるガラス窓構造に関するものである。」
　
　ウ　「【０００６】
【課題を解決するための手段】本発明の請求項１記載のガラス窓構造は、それぞれに板ガラスが装着された状態で互いに対向した一対の窓枠と、各窓枠の周縁部間に架橋された連結部材とから窓本体が構成され、上記窓枠間に光源が配設されていることを特徴とするものである。
【０００７】このガラス窓構造によれば、窓枠間に配設された光源を点灯することにより、光源からの光が間接光になって互いに対向した板ガラスから外部に向けて照射される。従って、夜間に光源を点灯することによって、窓本体の板ガラスから照射される間接光で窓本体を挟んだ両側の空間が照明されるため、夜間でありながら昼間と同様の採光感が得られる。また、窓本体を部屋の間仕切り部分に採用することにより、２部屋に同時に配光することが可能になる。さらに、窓本体は、空気層を挟んだ二重構造になっているため、従来の分厚い導光板の端縁部外方に光源を配置したガラス窓構造に比較して非常に軽量で安価であり、施工時の取り扱いが容易になるとともに材料コストの軽減化に寄与するばかりか、優れた断熱作用、防音作用および結露防止作用を備えている。
【０００８】本発明の請求項２記載のガラス窓構造は、請求項１記載のガラス窓構造において、上記窓本体は、所定の被装着枠体に嵌め殺しされるものであることを特徴とするものである。
【０００９】このガラス窓構造によれば、窓本体は、それを嵌め殺しすることによって採光および照明可能な部屋の壁面になる。
【００１０】本発明の請求項３記載のガラス窓構造は、請求項１記載のガラス窓構造において、上記窓本体は、所定の被装着枠体に開閉可能に建て付けられるものであることを特徴とするものである。
【００１１】このガラス窓構造によれば、屋外と屋内との境界部分に窓本体を配設することにより、窓本体を開閉可能な通常の窓として利用し得るとともに、夜間の照明用としても利用することができる。」
　
　エ　「【００２０】
【発明の実施の形態】図１は、本発明に係るガラス窓構造の第１実施形態を示す一部切欠き斜視図である。この図に示すように、ガラス窓構造１は、二重構造の窓本体２と、この窓本体２に内装された光源３とからなる基本構成を有している。上記窓本体２は、それぞれに板ガラスＧが装着された状態で互いに対向した矩形状の同一寸法の一対の窓枠２１と、各窓枠２１の周縁部間に架橋された連結部材２２とからなっている。
・・・
【００２２】かかる一対の窓枠２１は、内周縁部に沿った対向面に互いに対向する方向に向かって突設された突条２３ａと、この突条２３ａの先端縁部が内方に向かって折り返された状態で形成された堰部２３ｂからなるガラス支持突条２３を有している。このガラス支持突条２３の堰部２３ｂと窓枠２１との間にガラス嵌装溝２３ｃが形成され、板ガラスＧは、その縁部が上記ガラス嵌装溝２３ｃに嵌め込まれることによって窓枠２１に装着されるようになっている。
【００２３】上記連結部材２２は、アルミニウム合金をＵ字形状になるように押出し成形することによって形成されている。・・・
・・・
【００２５】本実施形態においては、上記光源３として蛍光灯が採用されている。かかる光源３は、窓枠２１において一対の上部の横桟２１ｂ間に水平方向に延びるように配設され、これによって外部からは隠された状態になるようにしいている。そして、外部の電源からの電力が上枠２４間に装着された安定器３１を介して光源３に供給されて光源３が発光するようにしている。なお、光源３の配設位置については、上部の横桟２１ｂ間に限定されるものではなく、下部の横桟２１ｂ間に設けてもよいし、縦桟２１ａ間に設けてもよい。・・・また、光源３は蛍光灯に限定されるものではなく、白熱電球であってもよい。
【００２７】第１実施形態のガラス窓構造１によれば、光源３を点灯することにより、光源からの光は、一部が直接板ガラスＧを通して外部に照射されるが、ほとんどが窓枠２１の内壁面で乱反射したのち板ガラスＧを通して外部に照射されるため、窓本体２を室内の壁面に配することにより、室内は穏やかな間接光が板ガラスＧの表面から照射されて均一に照明された状態になり、雰囲気の良好な照明空間を得ることができる。
【００２８】また、窓本体２を野外と室内との境界部分に配することにより、昼間は通常の窓として自然光を室内に取り入れることができる一方、夜間は室内の照明用として利用することが可能になる。
【００２９】また、窓本体２を隣接した２部屋の境界部分に配設すれば、２部屋に対して同時に配光することが可能になる。
【００３０】さらに、窓本体２は、２枚の板ガラスＧが所定の間隔で配された二重構造になっているため、内部の空気の存在によって断熱効果や遮音効果を得ることができる上、例えば冬期に外部に面した板ガラスＧの低温が内部側の板ガラスＧに直接伝達されることはなく、従って、暖房された室内側の板ガラスＧに結露が発生することを有効に防止することができる。」
　
　オ　「【００３１】図２は、本発明に係るガラス窓構造の第２実施形態を示す一部切欠き斜視図である。この図に示すように、第２実施形態のガラス窓構造１ａは、連結部材２２の側板２２ｂに、上記装着フィン２２ｃに代えて室内側の側板２２ｂに連結部材２２の全周に亘った環状フィン２２ｄが設けられている点が第１実施形態のガラス窓構造１と異なっている。その他の構成については第１実施形態のものと同様である。・・・」
　
　カ　「【００３４】図３は、本発明に係るガラス窓構造の第３実施形態を示す一部切欠き斜視図である。ここの図に示すように、第３実施形態のガラス窓構造１ｂは、窓本体２ａが枠体４内で移動可能に建て付けられている。すなわち、窓本体２ａは、その下縁部に上記連結部材２２に代えて絶縁材料である合成樹脂製の台車部材５が採用されている。この台車部材５は、板ガラスＧの横寸法より若干長く寸法設定された天板５１と、この天板５１の両側縁部から垂下された一対の側板５２とからなっている。天板５１の上面部には、長手方向に延びる幅方向一対のガラス嵌装溝５１ａが凹設され、これらのガラス嵌装溝５１ａに板ガラスＧの下縁部を嵌め込むことによって一対の板ガラスＧが台車部材５に装着されるようになっている。また、窓本体２ａの上縁部には、第２実施形態と同様の連結部材２２が採用されている。
・・・
【００４２】・・・第１電力線９１にはスイッチ９３が設けられ、このスイッチ９３をオンすることにより、電源９からの電力が、第１電力線９１、第１導通板６ａ、第１車輪本体５５ａ、第１ばね７ａ、第１リード線８１、白熱電球からなる光源３、第２リード線８２、第２ばね７ｂ、第２車輪本体５５ｂ、第２導通板６ｂ、並びに第２電力線９２によって形成された閉回路により光源３に供給され、これによって光源３が発光するようになっている。
・・・
【００４４】・・・なお、光源３としては、白熱電球に限定されるものではなく、ＬＥＤ等の発光素子を利用した光源を採用してもよい。また、板ガラスＧの表面や窓枠２１にソーラーパネルを付設するとともに、窓枠２１内の適所に蓄電池を設け、昼間の太陽光によってソーラーパネルで発電した電力を蓄電池に蓄電するようにし、夜間にこの蓄電池からの電力で光源３を点灯するようにしてもよい。」
　
　キ　「【００４８】本発明は上記の実施形態に限定されるものではなく、以下の内容をも包含するものである。
・・・
【００５１】（３）上記の実施形態においては、窓本体２，２ａは、屋内と屋外との間を仕切る壁部に設けられているが、本発明は窓本体２，２ａが屋内と屋外との間を仕切る壁部に適用されることに限定されるものではなく、天井部に設けることも可能である。特に天井部が陸屋根に設けられるものである場合等には、窓本体２，２ａを明かり取り用の天窓（トップライト）として利用することができる。
・・・
【００５３】（５）さらに、本発明においては、板ガラスＧは透明ガラスに限定されるものではなく、消しガラスや、和紙柄等の各種の模様が形成された模様ガラスを採用することができる。そして、これらのガラスは、窓本体２，２ａが適用される部屋の雰囲気に合わせて種々選択することが可能である。」
　
　ク　「【００５４】
【発明の効果】本発明の請求項１記載のガラス窓構造によれば、それぞれに板ガラスが装着された状態で互いに対向した一対の窓枠と、各窓枠の周縁部間に架橋された連結部材とから窓本体を構成し、窓枠間に光源が配設したため、窓枠間に配設された光源を点灯することにより、光源からの光を間接光として互いに対向した板ガラスから外部に向けて照射させることができる。従って、夜間に光源を点灯することによって、窓本体の板ガラスから照射される間接光で窓本体を挟んだ両側の空間が照明されるため、夜間でありながら昼間と同様の採光感を得ることができる。また、窓本体を部屋の間仕切り部分に採用することにより、２部屋に同時に配光することができる。さらに、窓本体は、空気層を挟んだ二重構造になっているため、従来の分厚い導光板の端縁部外方に光源を配置したガラス窓構造に比較して非常に軽量で安価であり、施工時の取り扱いが容易になるとともに材料コストの軽減化に寄与することができるばかりか、優れた断熱作用、防音作用および結露防止作用を得ることができる。
【００５５】本発明の請求項２記載のガラス窓構造によれば、窓本体は、所定の被装着枠体に嵌め殺しされるものであるため、窓本体を、採光および照明可能な部屋の壁面として利用することができる。
【００５６】本発明の請求項３記載のガラス窓構造によれば、窓本体は、所定の被装着枠体に開閉可能に建て付けられるものであるため、屋外と屋内との境界部分に窓本体を配設することにより、窓本体を開閉可能な通常の窓として利用し得るとともに、夜間の照明用としても利用することができる。」
　
　ケ　上記カの第３実施形態のガラス窓構造は、「窓本体２ａの上縁部には、第２実施形態と同様の連結部材２２が採用されている」とされているところ、上記オに示した第２実施形態の、第１実施形態のガラス窓構造１の装着フィン２２ｃに代えて環状フィン２２ｄが設けられている点以外は、第１実施形態のガラス窓構造１と同様とされているから、第３実施形態のガラス窓構造は、その窓本体の上縁部においては、上記エの第１実施形態と同様に、「ガラス窓構造１は、二重構造の窓本体２と、この窓本体２に内装された光源３とからなる基本構成を有し」、「上記窓本体２は、それぞれに板ガラスＧが装着された状態で互いに対向した矩形状の同一寸法の一対の窓枠２１と、各窓枠２１の周縁部間に架橋された連結部材２２とからなっている」ものと認められる。
　
　コ　上記カの「本発明においては、板ガラスＧは透明ガラスに限定されるものではなく」（【００５３】）との記載から、各実施形態においては、「板ガラスＧ」として「透明ガラス」が用いられていると認められる。
　
　サ　上記カの第３実施形態のガラス窓構造において、「光源３」の配設の詳細は示されていないが、第１実施形態の構造を示す図１と第３実施形態の構造を示す図３とで「光源３」は同様の位置に配設されていることが見て取れるから、第３実施形態においても、第１実施形態と同様に、「光源３は、窓枠２１において一対の上部の横桟２１ｂ間に水平方向に延びるように配設され」（上記エの【００２５】）ているものと認められる。
　
　シ　したがって、上記記載事項を総合すると、引用刊行物１には次の発明（以下「引用発明１」という。）が記載されているものと認められる。
　
「それぞれに板ガラスが装着された状態で互いに対向した一対の窓枠と、各窓枠の周縁部間に架橋された連結部材とから窓本体が構成され、上記窓枠間に光源が配設されているガラス窓構造であって、
上記ガラス窓構造は、２枚の透明な板ガラスが所定の間隔で配された二重構造の窓本体と、この窓本体に内装された光源とからなる基本構成を有し、
上記窓本体は、それぞれに板ガラスが装着された状態で互いに対向した矩形状の同一寸法の一対の窓枠と、各窓枠の周縁部間に架橋された連結部材とからなっており、
上記光源は、窓枠において一対の上部の横桟間に水平方向に延びるように配設され、上記光源として、ＬＥＤ等の発光素子を利用した光源を採用し、
板ガラスの表面にソーラーパネルを付設するとともに、窓枠内の適所に蓄電池を設け、昼間の太陽光によってソーラーパネルで発電した電力を蓄電池に蓄電するようにし、夜間にこの蓄電池からの電力で光源を点灯するようにした、ガラス窓構造。」
　
　ス　上記エ（【００２８】）、キ及びクによれば、引用発明１は、窓枠間に配設された光源を点灯することにより、光源からの光を間接光として互いに対向した板ガラスから外部に向けて照射させることができ、従って、夜間に光源を点灯することによって、窓本体の板ガラスから照射される間接光で窓本体を挟んだ両側の空間が照明されるため、夜間でありながら昼間と同様の採光感を得ることができるものであり、また、窓本体を野外と室内との境界部分に配することにより、昼間は通常の窓として自然光を室内に取り入れることができる一方、夜間は室内の照明用として利用することが可能になり、さらに、窓本体が適用される部屋の雰囲気に合わせて、板ガラスとして透明ガラスに限定されず、消しガラスや、和紙柄等の各種の模様が形成された模様ガラス等を種々選択することが可能なものである。
　
（２）引用刊行物２及び引用発明２
　原査定の拒絶の理由に引用された、本願の優先日前に頒布された刊行物である特開２０００−１４８０５４号公報（以下「引用刊行物２」という。）には、図とともに以下の事項が記載されている。
　
　ア　「【特許請求の範囲】
【請求項１】  窓枠に、透光性の画像形成層と、該画像形成層の表面を保護する透視可能な屋内側保護層とを備えたディスプレー板を組付け、該ディスプレー板の背面側に、前記画像形成層への自然光の透過を許容する防水性の屋外側保護層を形成するとともに、前記窓枠内には、画像形成層に対して光を照射する電気式光源を組付け、更に、前記光源に対する通電操作手段を設けてあるディスプレー窓。
・・・
【請求項５】  前記屋外側保護層が、前記光源からの照射光を面全体が乱反射させる透光性の面発光体から構成されている請求項１〜３のいずれか１項に記載のディスプレー窓。」
　
　イ　「【０００１】
【発明の属する技術分野】本発明は、窓面をディスプレー面として利用するディスプレー窓に関する。」
　
　ウ　「【０００５】
【課題を解決するための手段】本発明の請求項１によるディスプレー窓の特徴構成は、窓枠に、透光性の画像形成層と、該画像形成層の表面を保護する透視可能な屋内側保護層とを備えたディスプレー板を組付け、該ディスプレー板の背面側に、前記画像形成層への自然光の透過を許容する防水性の屋外側保護層を形成するとともに、前記窓枠内には画像形成層に対して光を照射する電気式光源を組付け、更に、前記光源に対する通電操作手段を設けた点にある。
【０００６】上記特徴構成によれば、日中の明るいときには自然光が、屋外側保護層、ディスプレー板を経て室内に入射することによって、室内側への採光機能を維持しつつ、室内側に画像形成層を浮かび上がらせることができる。また、雨天時や夜間等のように、屋外からの光量が不足するときには、通電操作手段にて光源を点灯制御することにより、ディスプレー板の画像を室内側に浮かびあがらせることができると同時に、室内用の間接照明としても機能する。さらに、前記画像形成層をそれの表裏に位置する屋内側保護層及び屋外側保護層にて保護することができるから、清掃や雨水等の外力に関係なく画像形成層による画像表示効果を長期間に亘って維持することができる。従って、採光可能な窓としての基本機能は維持しつつ、表面積の大きな窓面を利用して効果的な画像表示をスペース面で有利に行なうことができ、しかも、ランニングコストの低康化を図り乍ら、昼夜に関係なく初期の高い画像表示効果を長期間に亘って良好に発揮させることができる。」
　
　エ　「【００１０】本発明の請求項５によるディスプレー窓の特徴構成は、前記屋外側保護層が、前記光源からの照射光を面全体が乱反射させる透光性の面発光体から構成されている点にある。上記特徴構成によれば、電気式光源の光が面発光体に入射すると、該面発光体の全面からほぼ均一に放射される面発光により、画像形成層全面を明るく浮かびあがらせることができ、高品質の画像表示効果を発揮させることができる。」
　
　オ　「【００１１】
【発明の実施の形態】〔第１実施形態〕以下、本発明のディスプレー窓の一例を図面に基づいて説明する。この実施形態のディスプレー窓Ａは、図１〜図４に示すように、アルミニウム合金製の窓枠１と、この窓枠１にゴム等からなる防水シール３を介して取付けられる窓本体２とから構成され、壁等の躯体に固定された窓支持枠４に組付けることにより、左右方向に開け閉め可能な可動窓に構成される。また、このディスプレー窓Ａには、蛍光灯からなる電気式光源５と、該光源５に対する安定器やグローなどの点灯回路装置６、スイッチ８、電源プラグ９などの通電操作手段１０が組込まれている。
・・・
【００１３】そして、前記窓枠１に組付けられた前記窓本体２は、絵柄や写真等の画像を形成してある画像形成層２３とこの画像形成層２３の表面を保護する透視可能な屋内側保護層２４とを備えたディスプレー板Ｂと、前記画像形成層２３への自然光の透過を許容する状態でディスプレー板Ｂの背面側に積層形成される防水性の屋外側保護層２５とから構成されている。前記、屋内側保護層２４を構成する透明なアクリル板及び屋外側保護層２５を構成する透明なアクリル板の各々は、正面視で縦長長方形状の広い板面を有するもので、画像形成層２３を挟んで積層配置され、その積層配置された三層の周縁部は接着剤又はテープ或は溶着等の適宜接合手段で一体化されている。
【００１４】前記ディスプレー板Ｂに設けた画像形成層２３は、透明フィルムの一側面に唯単に絵や写真を印刷して形成したもの、または、絵や写真を印刷したフィルムを複数枚重ねたもの等の一つあるいは組み合わせを選択して構成され、いずれにおいても透光性を有して光を当てると画像が浮かびあがる構成のものである。
【００１５】前記電気式光源である蛍光灯５、５および安定器やグロー等の点灯回路装置６は、左右のカバー体２０,２１の裏面に取付けられている。取付けられた状態では、屋外側保護層を構成するアクリル板２５の両側縁部に蛍光灯５，５が位置する状態となり、蛍光灯５，５からの光がアクリル板２５を導光板として画像形成層２３の背面側から照射されるように構成されている。・・・両蛍光灯５，５を点灯すると、図３に示すように、蛍光灯５の光は、まず、屋外保護層２５の側面から内部に入り拡散と乱反射とによって窓中央に伝播して、画像形成層２３を背面側から照射する状態となって画像を光りの中で浮かびあがらせることができる。・・・」
　
　カ　「【００１６】・・・。〔第３実施形態〕前記第２実施形態においてのディスプレー窓Ａは、ディスプレー板Ｂの側面側に蛍光灯５，５の光をアクリル導光板２８を介して画像形成層２３を照射する構成であったが、これに限らず図７、図８或は、図９、図１０に示すように、ディスプレー板Ｂの背面に面発光体４０を配置し、蛍光灯５，５の光を利用して面発光させて画像形成部２３をより一層明確に浮かび上がらせる構成であってもよい。この面発光体４０は、透明アクリル板からなる導光板４１と、導光板４１の両側に配置されている蛍光灯５，５の光を側面から入射して、その光を前面側に均等に乱反射させる透光性のある反射部４２とから構成されている。前記反射部４２は図示はしないが、導光板４１自体の背面に形成された乱反射用の凹凸から構成したり、或は、導光板４１の前面又、背面に配置される乱反射シートから構成されている。・・・」
　
　キ　したがって、上記記載事項を総合すると、引用刊行物２には次の発明（以下「引用発明２」という。）が記載されているものと認められる。
　
「窓枠に、透光性の画像形成層と、該画像形成層の表面を保護する透視可能な屋内側保護層とを備えたディスプレー板を組付け、該ディスプレー板の背面側に、前記画像形成層への自然光の透過を許容する防水性の屋外側保護層を形成するとともに、前記窓枠内には、画像形成層に対して光を照射する電気式光源を組付け、更に、前記光源に対する通電操作手段を設けてあるディスプレー窓であって、
前記屋外側保護層が、前記光源からの照射光を面全体が乱反射させる透光性の面発光体から構成されており、
前記面発光体は、透明アクリル板からなる導光板と、導光板の両側に配置されている蛍光灯の光を側面から入射して、その光を前面側に均等に乱反射させる透光性のある反射部とから構成されており、前記反射部は、導光板自体の背面に形成された乱反射用の凹凸から構成したり、或は、導光板の前面又、背面に配置される乱反射シートから構成されており、
上記構成により、日中の明るいときには自然光が、屋外側保護層、ディスプレー板を経て室内に入射することによって、室内側への採光機能を維持しつつ、室内側に画像形成層を浮かび上がらせることができ、また、雨天時や夜間等のように、屋外からの光量が不足するときには、通電操作手段にて光源を点灯制御することにより、ディスプレー板の画像を室内側に浮かびあがらせることができると同時に、室内用の間接照明としても機能する、
ディスプレー窓。」
　
４　対比
　本願発明と引用発明１とを対比する。
　
（１）引用発明１の「２枚の透明な板ガラス」は、本願発明の「高度に透明な、少なくとも１枚の第１のパネル（１０２）と、高度に透明な第２のパネル（１０３）」に相当する。
　
（２）引用発明１の「ガラス窓構造」は、「２枚の透明な板ガラスが所定の間隔で配された二重構造の窓本体と、この窓本体に内装された光源とからなる基本構成を有し」たものであるから、引用発明の「ガラス窓構造」は、本願発明の「サンドイッチ状パネル部材」に相当し、引用発明は、本願発明の「高度に透明な、少なくとも１枚の第１のパネル（１０２）と、高度に透明な第２のパネル（１０３）とを含むサンドイッチ状パネル部材（１００）であって」との特定事項を備える。
　
（３）引用発明１の「ソーラーパネル」は、本願発明の「太陽電池素子」に相当し、引用発明１は「板ガラスの表面にソーラーパネルを付設する」ものであるから、引用発明１は、本願発明の「さらに該パネル間の空隙内に、または該２枚のパネルの少なくとも一方上に設けられた太陽電池素子（１０８）を含み」との特定事項を備える。
　
（４）引用発明１の「ガラス窓構造」の「窓本体」は、「それぞれに板ガラスが装着された状態で互いに対向した矩形状の同一寸法の一対の窓枠と、各窓枠の周縁部間に架橋された連結部材とからなって」いるから、引用発明の「窓枠」及び「連結部材」が、本願発明の「フレーム構造」に相当し、引用発明１は、本願発明の「さらに、縁部領域にパネル（１０２、１０３）のためのフレーム構造（１０４）を有する」との特定事項を備える。
　
（５）引用発明１は、「窓枠間に光源が配設されて」おり、「上記光源として、ＬＥＤ等の発光素子を利用した光源を採用」するものであり、また、「上記光源を点灯することにより、光源からの光は、ほとんどが窓枠の内壁面で乱反射したのち板ガラスを通して外部に照射されるため、窓本体を室内の壁面に配することにより、室内は穏やかな間接光が板ガラスの表面から照射されて均一に照明された状態にな」るから、引用発明１は、本願発明と、「ＬＥＤまたはＳＭＤが照明手段（１０６）として該フレーム構造」「に配置され、前記照明手段は該パネル（１０２，１０３）のうち少なくとも１枚に」「照明光を照射し、該光は少なくとも部分的に放射の方向にほぼ垂直に偏向し、少なくとも１枚のパネルの表面一面に投射され」る点で一致する。
　
（６）引用発明１の「板ガラス」は「透明な」ものとされているから、引用発明１は、本願発明の「該パネルは透明な構成を有し」との特定事項を備える。
　
　したがって、両者は、
「高度に透明な、少なくとも１枚の第１のパネルと、高度に透明な第２のパネルとを含むサンドイッチ状パネル部材であって、さらに該パネル間の空隙内に、または該２枚のパネルの少なくとも一方上に設けられた太陽電池素子を含み、さらに、縁部領域にパネルのためのフレーム構造を有するサンドイッチ状パネル部材において、ＬＥＤまたはＳＭＤが照明手段として該フレーム構造に配置され、前記照明手段は該パネルのうち少なくとも１枚に照明光を照射し、該光は少なくとも部分的に放射の方向にほぼ垂直に偏向し、少なくとも１枚のパネルの表面一面に投射され、該パネルは透明な構成を有した、サンドイッチ状パネル部材。」
である点で一致し、以下のａないしｃの点で相違する。
　
　ａ　本願発明では、照明手段としてのＬＥＤまたはＳＭＤが、「多数」であるのに対して、引用発明１では、「ＬＥＤ等の発光素子」が多数であるかどうか不明である点（以下「相違点１」という。）。
　
　ｂ　本願発明では、照明手段がフレーム構造の「前面部分」に配置され、パネルのうち少なくとも１枚に「前面部分において」照明光を照射すると共に、該照射光が投射されるパネルは、「それによって該パネルは光拡散効果を持ち、この目的のために少なくともひとつの面が印刷、サンドブラスト、エッチング、コーティング、彫刻または貼付されるか、またはパネルの内部が欠陥構造を有し」とされているのに対して、引用発明は、そのような特定事項を有していない点（以下「相違点２」という。）。
　
　ｃ　本願発明は、「太陽電池素子（１０８）が日光に対して半透過性である」のに対して、引用発明は、そのような特定事項を有していない点（以下「相違点３」という。）。
　
５　判断
　上記各相違点について検討する。
　
（１）相違点１について
　引用発明１においては、光源は、「水平方向に延びるように配設」、すなわち、線状の構成とされているところ、上記光源として、点光源である「ＬＥＤ」を採用する際には、多数のＬＥＤを線状に配置する必要があることは当業者にとって明らかであるから、引用発明１において光源としてＬＥＤを採用する際に、該ＬＥＤを多数線状に配置し、本願発明の上記相違点１に係る特定事項とすることは、当業者が容易になし得たことである。
　
（２）相違点２について
　引用刊行物２には、上記３（２）キに示したとおりの引用発明２が記載され、引用発明２は、導光板の側面から入射した光を、透光性のある反射部により前面側に均等に乱反射させる面発光体を備え、これによって、ディスプレー板の画像を室内側に浮かびあがらせることができると同時に、室内用の間接照明としても機能するディスプレー窓であるところ、引用発明２における面発光体の「反射部」は、「導光板自体の背面に形成された乱反射用の凹凸から構成したり、或は、導光板の前面又、背面に配置される乱反射シートから構成され」たものであり、「反射部」の当該構成は、本願発明の「それによって該パネルは光拡散効果を持ち、この目的のために少なくともひとつの面が印刷、サンドブラスト、エッチング、コーティング、彫刻または貼付されるか、またはパネルの内部が欠陥構造を有し」との特定事項に相当するものである。
　そして、引用発明１と引用発明２とは、いずれも、窓構造に関する発明であって、自然光の採光及び室内の照明が可能である点（引用発明１については、上記３（１）スも参照。）で共通し、また、上記３（１）スのとおり、引用発明１においては、部屋の雰囲気に合わせて、板ガラスとして各種の模様が形成された模様ガラスとすることも想定されているから、引用発明１における２枚の透明な板ガラスのうち、画像が表示される側、すなわち、前面部分の板ガラスをディズプレー窓とし、該板ガラスを側面から照明する光源をフレームの前面部分に配置し、該前面部分において板ガラスを側面から照明するようになすとともに、上記引用発明２の窓面をディスプレー面として利用されるディスプレー窓の構造を採用し、各種の模様の表示が可能な構成とし、これにより本願発明の上記相違点２に係る特定事項とすることは、当業者が容易になし得たことである。
　
（３）相違点３について
　上記３（１）スに示したように、引用発明１は、自然光を室内に取り入れることができるものであるから、「板ガラスの表面にソーラーパネルを付設する」構成を採用した際にも自然光を取り入れることができるような構成とすることは明らかであるところ、採光が必要な箇所に設けるソーラーパネル（太陽電池素子）として、日光に対して半透過性であるものを用いることは、本願の優先日当時において周知の技術である（必要であれば、特開平９−２７９７９１号公報（特許請求の範囲、発明が解決しようとする課題欄等参照。）、特開２０００−１０４４６４号公報（請求項２、【０００６】、【００１４】の２．等参照。）、特開平１１−３３６２３２号公報（【００１５】）等参照。）から、引用発明１においてソーラーパネル（太陽電池素子）を板ガラスの表面に付設する際、上記周知技術を適用し、本願発明の上記相違点３に係る特定事項となすことは、当業者が容易になし得たことである。
　
　そして、本願発明によってもたらされる効果は、引用発明１、引用発明２及び上記周知技術から予測し得る程度のものである。
　
　したがって、本願発明は、引用発明１、引用発明２及び上記周知技術に基づいて当業者が容易に発明をすることができたものである。  
　
６　むすび
　以上のとおり、本願発明は、引用刊行物１及び２に記載された発明及び周知技術に基づいて当業者が容易に発明できたものであるから、特許法第２９条第２項の規定により、特許を受けることができない。
　
　よって、結論のとおり審決する。